(57)【要約】【課題】プロジェクタにおいて、投射用光源からの光を効率よく利用できるようにすること。【解決手段】プロジェクタ１の画像表示制御装置４の特定手段４１ａは、画像データに含まれるカラー値の最大値をフレーム毎に特定し、算出手段４１ｂは、この最大値を用いて、投射用光源５の出力値を基準出力値に基づいて調整するための第１の重みをフレーム毎に算出すると共に、この第１の重みを用いて、表示装置６の反射率又は透過率をカラー値に対応する基準反射率又は基準透過率に基づいて調整するための第２の重みをフレーム毎に算出し、設定手段４１ｃは、算出手段４１ｂによって算出された第１の重みを基準出力値に乗じた値をフレーム毎の出力値に設定し、算出手段４１ｂによって算出された第２の重みを基準反射率又は基準透過率に乗じた値をフレーム毎の反射率又は透過率に設定する。【選択図】図１
2010181695.tif 000002
【特許請求の範囲】
【請求項１】
投射用光源と、該投射用光源から出力される光を、入力画像データに含まれるカラー値に応じて反射又は透過することによって画像光に変換する表示装置とを制御するプロジェクタの画像表示制御装置であって、
前記入力画像データに含まれる前記カラー値の最大値を一又は複数フレーム毎に特定する特定手段と、
前記特定手段によって特定された前記最大値を用いて、前記投射用光源の出力値を所定の基準出力値に基づいて調整するための第１の重みを、前記一又は複数フレーム毎に算出すると共に、当該第１の重みを用いて、前記表示装置の反射率又は透過率を前記カラー値に対応する基準反射率又は基準透過率に基づいて調整するための第２の重みを、前記一又は複数フレーム毎に算出する算出手段と、
前記算出手段によって算出された前記第１の重みを前記基準出力値に乗じた値を、前記一又は複数フレーム毎の前記投射用光源の出力値に設定し、前記算出手段によって算出された前記第２の重みを前記基準反射率又は前記基準透過率に乗じた値を、前記一又は複数フレーム毎の前記表示装置の反射率又は透過率に設定する設定手段と
を備える、ことを特徴とする画像表示制御装置。
【請求項２】
前記算出手段は、前記最大値を前記第１の重みとし、該第１の重みの逆数を前記第２の重みとする、ことを特徴とする請求項１に記載の画像表示制御装置。
【請求項３】
投射用光源と、該投射用光源から出力される光を、入力画像データに含まれるカラー値に応じて反射又は透過することによって画像光に変換する表示装置とを制御するための制御装置を用いたプロジェクタの画像表示制御方法であって、
前記入力画像データに含まれる前記カラー値の最大値を一又は複数フレーム毎に前記制御装置が特定する特定ステップと、
前記制御装置が、前記特定ステップにおいて特定した前記最大値を用いて、前記投射用光源の出力値を所定の基準出力値に基づいて調整するための第１の重みを、前記一又は複数フレーム毎に算出すると共に、当該第１の重みを用いて、前記表示装置の反射率又は透過率を前記カラー値に対応する基準反射率又は基準透過率に基づいて調整するための第２の重みを、前記一又は複数フレーム毎に算出する算出ステップと、
前記制御装置が、前記算出ステップにおいて算出した前記第１の重みを前記基準出力値に乗じた値を、前記一又は複数フレーム毎の前記投射用光源の出力値に設定し、前記算出ステップにおいて算出した前記第２の重みを前記基準反射率又は前記基準透過率に乗じた値を、前記一又は複数フレーム毎の前記表示装置の反射率又は透過率に設定する設定ステップと
を備える、ことを特徴とする画像表示制御方法。
【発明の詳細な説明】
【技術分野】
【０００１】
本発明は、画像表示制御装置と画像表示制御方法とに関する。
【背景技術】
【０００２】
特許文献１には、小型化されたプロジェクタに係る技術が開示されている。特許文献１のプロジェクタは、角錐プリズムの反射面に対向して配置されたＬＥＤ光源と、この角錐プリズムの反射光軸上に配置されたライトトンネル、ＰＳ変換素子、偏光ビームスプリッタ、及びＬＣＯＳと、この偏光ビームスプリッタの透過光軸上に配置された投射レンズとを備えている。
【先行技術文献】
【特許文献】
【０００３】
【特許文献１】特開２００５−１４０８４７号公報
【発明の概要】
【発明が解決しようとする課題】
【０００４】
例えば特許文献１等の従来のプロジェクタは、投射用の光源から出射される光を、画像データに含まれるカラー値に応じて反射又は透過することによって画像光に変換する表示素子を有する。しかしながら、このような従来のプロジェクタでは、投射用光源から出射される光を全て反射又は透過し画像光とするものではないので、投射用光源から出射される光のうち画像光とならない光も存在することとなる。よって、従来のプロジェクタの場合、投射用光源からの光を効率よく利用するのが困難である。また、光源から発せられた光は、表示素子により反射又は透過するが、一部の光は乱反射される。この乱反射された漏れ光により画質が低下する場合がある。そこで本発明の目的は、プロジェクタにおいて、投射用光源からの光を効率よく利用できるようにすると共に画質を向上させることである。
【課題を解決するための手段】
【０００５】
本発明は、投射用光源と、該投射用光源から出力される光を、入力画像データに含まれるカラー値に応じて反射又は透過することによって画像光に変換する表示装置とを制御するプロジェクタの画像表示制御装置であって、前記入力画像データに含まれる前記カラー値の最大値を一又は複数フレーム毎に特定する特定手段と、前記特定手段によって特定された前記最大値を用いて、前記投射用光源の出力値を所定の基準出力値に基づいて調整するための第１の重みを、前記一又は複数フレーム毎に算出すると共に、当該第１の重みを用いて、前記表示装置の反射率又は透過率を前記カラー値に対応する基準反射率又は基準透過率に基づいて調整するための第２の重みを、前記一又は複数フレーム毎に算出する算出手段と、前記算出手段によって算出された前記第１の重みを前記基準出力値に乗じた値を、前記一又は複数フレーム毎の前記投射用光源の出力値に設定し、前記算出手段によって算出された前記第２の重みを前記基準反射率又は前記基準透過率に乗じた値を、前記一又は複数フレーム毎の前記表示装置の反射率又は透過率に設定する設定手段とを備える、ことを特徴とする。
【０００６】
よって、カラー値の最大値に基づいて算出された第１の重みを基準出力値に乗じた値が、投射用光源の出力値に設定されるので、カラー値の最大値が１００％未満の場合には投射用光源の出力値が低減される。従って、投射用光源における消費電力も低減される。更に、表示装置の反射率又は透過率が、第１の重みを用いて算出された第２の重みによって調整されるので、表示装置から照射される画像光の輝度も、投射用光源の出力値に応じて好適に調整可能となる。また、投射用光源の出力値が低減されるので、表示装置において乱反射された漏れ光も低減され、よって、画質が向上する。
【０００７】
更に、本発明において、前記算出手段は、前記最大値を前記第１の重みとし、該第１の重みの逆数を前記第２の重みとするのが好ましい。この場合、表示装置の反射率又は透過率は、投射用光源の基準出力値に乗じられた第１の重みの逆数である第２の重みを基準反射率又は基準透過率に乗じた値とするので、この調整後の表示装置から照射される画像光の輝度は、投射用光源の出力値に基準出力値を用い、且つ、表示装置の反射率又は透過率に基準反射率又は基準透過率を用いた場合と同等の輝度を維持できる。
【０００８】
本発明は、投射用光源と、該投射用光源から出力される光を、入力画像データに含まれるカラー値に応じて反射又は透過することによって画像光に変換する表示装置とを制御するための制御装置を用いたプロジェクタの画像表示制御方法であって、前記入力画像データに含まれる前記カラー値の最大値を一又は複数フレーム毎に前記制御装置が特定する特定ステップと、前記制御装置が、前記特定ステップにおいて特定した前記最大値を用いて、前記投射用光源の出力値を所定の基準出力値に基づいて調整するための第１の重みを、前記一又は複数フレーム毎に算出すると共に、当該第１の重みを用いて、前記表示装置の反射率又は透過率を前記カラー値に対応する基準反射率又は基準透過率に基づいて調整するための第２の重みを、前記一又は複数フレーム毎に算出する算出ステップと、前記制御装置が、前記算出ステップにおいて算出した前記第１の重みを前記基準出力値に乗じた値を、前記一又は複数フレーム毎の前記投射用光源の出力値に設定し、前記算出ステップにおいて算出した前記第２の重みを前記基準反射率又は前記基準透過率に乗じた値を、前記一又は複数フレーム毎の前記表示装置の反射率又は透過率に設定する設定ステップとを備える、ことを特徴とする。
【０００９】
よって、カラー値の最大値に基づいて算出された第１の重みを基準出力値に乗じた値が、投射用光源の出力値に設定されるので、カラー値の最大値が１００％未満の場合には投射用光源の出力値が低減される。従って、投射用光源における消費電力も低減される。更に、表示装置の反射率又は透過率が、第１の重みを用いて算出された第２の重みによって調整されるので、表示装置から照射される画像光の輝度も、投射用光源の出力値に応じて好適に調整可能となる。また、投射用光源の出力値が低減されるので、表示装置において乱反射された漏れ光も低減され、よって、画質が向上する。
【発明の効果】
【００１０】
本発明によれば、プロジェクタにおいて、投射用光源からの光を効率よく利用できるようになる。
【図面の簡単な説明】
【００１１】
【図１】実施形態に係る画像表示制御装置を説明するための図である。
【図２】実施形態に係る画像表示制御装置の構成を説明するための図である。
【図３】実施形態に係る画像表示制御装置の構成を説明するための図である。
【図４】一フレームの画像データの一例を示す図である。
【図５】一フレームの画像データの他の一例を示す図である。
【図６】実施形態に係る画像表示制御装置の動作を説明するためのフローチャートである。
【図７】実施形態に係る画像表示制御装置の動作を説明するためのグラフである。
【発明を実施するための形態】
【００１２】
以下、図面を参照して、本発明に係る好適な実施形態について詳細に説明する。なお、図面の説明において、可能な場合には、同一要素には同一符号を付し、重複する説明を省略する。図１は、実施形態に係るプロジェクタ１の構成を説明するための図である。プロジェクタ１は、画像データを画像光に変換し、この画像光をスクリーン２に投射する装置である。プロジェクタ１は、映像入力Ｉ／Ｆ３、画像表示制御装置４、投射用光源５及び表示装置６を備える。
【００１３】
映像入力Ｉ／Ｆ３は、外部から入力された画像データ（又は、プロジェクタ１に装着されたＤＶＤ等のメディアから読み出した画像データ）を画像表示制御装置４に出力する。画像表示制御装置４は、投射用光源５及び表示装置６の動作を制御する。特に、画像表示制御装置４は、映像入力Ｉ／Ｆ３から入力された画像データを画像光に変換するように表示装置６を制御する。画像表示制御装置４は、通常動作モード又は低消費電力モードの何れかで動作可能である。画像表示制御装置４は、通常動作モードの場合には、投射用光源５の出力値（投射用光源５の発光強度、又は、投射用光源５に供給する電圧値や電流値等）を基準出力値Ａ１に設定すると共に、表示装置６の反射率又は透過率を、画像データに含まれるカラー値（％）（図４及び図５を参照）に対応する基準反射率Ａ２又は基準透過率Ａ３に設定する。画像表示制御装置４は、低消費電力モードの場合には、画像データに含まれるカラー値の最大値を用いて、投射用光源５の出力値を、基準出力値Ａ１に基づいて調整すると共に、表示装置６の反射率又は透過率を、基準反射率Ａ２又は基準透過率Ａ３に基づいて調整する。なお、低消費電力モードの場合の投射用光源５の光の出力時間は、通常動作モードの場合の出力時間と同様である。このように、低消費電力モードの場合、投射用光源５の出力値を調整するだけでなく、表示装置６の反射率又は透過率もあわせて調整することによって、表示装置６の輝度を、通常動作モードの場合の輝度と同程度に維持できる。ここで、ここで、表示装置６の反射率又は透過率は、フレーム毎に且つ表示素子（図４又は図５に示す素子Ｐ１１等）毎に設定される。基準反射率Ａ２又は基準透過率Ａ３は、フレーム毎に且つ表示素子（図４又は図５に示す素子Ｐ１１等）毎に設定される画像データのカラー値に対応しており、フレーム及び表示素子によって異なる場合がある。
【００１４】
投射用光源５は、投射用の光を表示装置６に出射する。投射用光源５の出力値は、画像表示制御装置４によって制御される。投射用光源５は、白色光源を有するか、又は、Ｒ光源、Ｇ光源及びＢ光源を有する。
【００１５】
表示装置６は、投射用光源５から出力される投射用の光を、入力された画像データに含まれるカラー値に応じて反射又は透過することによって画像光に変換し、この画像光をスクリーン２等に照射する。表示装置６は、二次元的（ｍ行ｎ列）に配列されたｍ×ｎ個の表示素子を有し（ｍ，ｎは１以上の整数）、この表示素子が投射用光源５から出射される光を反射又は透過する。それぞれの表示素子の反射率又は透過率は、画像表示制御装置４によって制御される。このｍ×ｎ個の表示素子のうち、第１行目に配列されたｎ個の表示素子を素子Ｐ１１、素子Ｐ１２〜素子Ｐ１ｎとし、第２行目に配列されたｎ個の表示素子を素子Ｐ２１、素子Ｐ２２〜素子Ｐ２ｎとする。そして、第ｍ行目に配列されたｎ個の表示素子を、素子Ｐｍ１、素子Ｐｍ２〜素子Ｐｍｎとする（図４及び図５を参照）。
【００１６】
表示装置６は、単板式又は３板式のＬＣＯＳ（Liquid Crystal On Silicon）（以下、単に、単板式又は３板式という）、又は、ＤＭＤ（Digital Micromirror Device）である（ＤＭＤの場合、表示素子は反射のみ行う）。単板式又はＤＭＤの場合、投射用光源５は白色光源を有し、且つ、表示装置６はカラーホイールを有するか、或いは、投射用光源５はＲ光源、Ｇ光源及びＢ光源を有し、且つ、表示装置６はカラーホイールを有さない、の何れかとなる。さらに、単板式又はＤＭＤの場合、表示装置６は、Ｒ，Ｇ，Ｂの各画像光をフレーム毎に順次出射する。一方、３板式の場合、投射用光源５は白色光源を有し、表示装置６の各表示素子は、Ｒ，Ｇ，Ｂフィルタを有する。さらに、３板式の場合、表示装置６は、Ｒ，Ｇ，Ｂの各画像光をフレーム毎に合成して出射する。なお、以下では、単板式又はＤＭＤであるか、或いは、３板式であるか、を特に示さない限り、単板式、ＤＭＤ又は３板式、の何れの場合も含まれるものとする。
【００１７】
画像データは、例えば、表示装置６の有するｍ×ｎ個の表示素子のそれぞれに対するＲ，Ｇ，Ｂのカラー値をフレーム毎に示すデータであり、このカラー値は、表示装置６の個々の表示素子に持たせる反射率又は透過率を示している。図４及び図５に画像データの一例を示す。図４に示す画像データは、時間Ｔ１〜Ｔ２の間の一フレーム（以下、フレームＦ１という）のＲ，Ｇ，Ｂのカラー値を表示装置６の表示素子毎に示し、図５に示す画像データは、時間Ｔ２〜Ｔ３の間の一フレーム（以下、フレームＦ２という）のＲ，Ｇ，Ｂのカラー値を表示装置６の表示素子毎に示している。例えば、図４に示す時間Ｔ１〜Ｔ２の間の（フレームＦ１における）素子Ｐ１１に対するＲ，Ｇ，Ｂ毎のカラー値は、それぞれ“１２％”，“２３％”，“１２％”に設定されている。この場合、画像表示制御装置４は、通常動作中であれば、この間の素子Ｐ１１のＲ，Ｇ，Ｂ毎の反射率又は透過率をこのＲ，Ｇ，Ｂ毎のカラー値（基準反射率Ａ２又は基準透過率Ａ３に対応）に設定する。また、図５に示す時間Ｔ２〜Ｔ３の間の（フレームＦ２における）素子Ｐ１１に対するＲ，Ｇ，Ｂ毎のカラー値は、それぞれ、“２２％”，“３３％”，“４２％”に設定されている。この場合、画像表示制御装置４は、通常動作中であれば、この間の素子Ｐ１１のＲ，Ｇ，Ｂ毎の反射率又は透過率をこのＲ，Ｇ，Ｂ毎のカラー値（基準反射率Ａ２又は基準透過率Ａ３に対応）に設定する。
【００１８】
次に、図２及び図３を参照して、画像表示制御装置４の構成を説明する。画像表示制御装置４は、図２に示すように、物理的には、ＣＰＵ４１、ＲＯＭ４２、ＲＡＭ４３、通信装置４４及び記憶装置４５を有しており、これらはバス４６に接続されている。ＣＰＵ４１は、ＲＯＭ４２や記憶装置４５等の内蔵メモリに格納された所定のコンピュータプログラム（例えば、図６に示すフローチャートの処理を実行するためのコンピュータプログラム）をＲＡＭ４３にロードして実行することにより、画像表示制御装置４を統括的に制御する。記憶装置４５は、書き込み／読み出しが自在なメモリであり、各種コンピュータプログラム及びデータを格納する。通信装置４４は、映像入力Ｉ／Ｆ３、投射用光源５及び表示装置６とデータの送受信を行うためのインターフェイスを有する。
【００１９】
画像表示制御装置４は、図３に示すように、機能的には特定手段４１ａ、算出手段４１ｂ、設定手段４１ｃ及び制御手段４１ｄを含む。これら図３に示す特定手段４１ａ〜制御手段４１ｄは、ＣＰＵ４１がＲＯＭ４２や記憶装置４５等の内蔵メモリに格納された上記コンピュータプログラムを実行し、図２に示す画像表示制御装置４の各構成部を動作させることによって実現される機能であり、低消費電力モードの場合に動作する。ＣＰＵ４１は、上記コンピュータプログラムを実行することによって（特に、図３に示す上記特定手段４１ａ〜制御手段４１ｄを用いて）、図６のフローチャートに示す画像表示制御装置４の行う処理を実行する。
【００２０】
特定手段４１ａは、映像入力Ｉ／Ｆ３から入力された画像データに含まれるＲ，Ｇ，Ｂのカラー値の一の最大値を一又は複数フレーム毎に特定する。算出手段４１ｂは、特定手段４１ａによって特定された最大値を用いて、投射用光源５の出力値を基準出力値Ａ１に基づいて調整するための第１の重みを、一又は複数フレーム毎に算出すると共に、この第１の重みを用いて、表示装置６の反射率又は透過率を画像データに含まれるＲ，Ｇ，Ｂのカラー値に対応する基準反射率Ａ２又は基準透過率Ａ３に基づいて調整するための第２の重みを、一又は複数フレーム毎に算出する。そして、算出手段４１ｂは、特定手段４１ａによって特定された最大値を第１の重みとする算出を行い、この第１の重みの逆数を第２の重みとする算出を行う。
【００２１】
設定手段４１ｃは、算出手段４１ｂによって算出された第１の重みを基準出力値Ａ１に乗じた値を、一又は複数フレーム毎の投射用光源５の出力値に設定する。設定手段４１ｃは、算出手段４１ｂによって算出された第２の重みを表示装置６の各表示素子のＲ，Ｇ，Ｂ毎の基準反射率Ａ２又は基準透過率Ａ３に乗じた値を、一又は複数フレーム毎に、表示装置６の各表示素子のＲ，Ｇ，Ｂ毎の反射率又は透過率に設定する。制御手段４１ｄは、設定手段４１ｃによって設定された投射用光源５の出力値に基づいて投射用光源５を制御し、設定手段４１ｃによって設定された表示装置６の反射率又は透過率に基づいて表示装置６を制御する。
【００２２】
次に、図４〜図６を参照して、本実施形態の動作を説明する。まず、ステップＳ１において、特定手段４１ａは、映像入力Ｉ／Ｆ３から入力された画像データに含まれるＲ，Ｇ，Ｂのカラー値の最大値を一又は複数フレーム毎に特定する（ステップＳ１）。例えば、特定手段４１ａは、フレームＦ１におけるＲ，Ｇ，Ｂのカラー値の最大値を“９０％”（素子Ｐｍｎにおけるブルー（Ｂ）のカラー値）と特定する。また、特定手段４１ａは、フレームＦ２におけるＲ，Ｇ，Ｂのカラー値の最大値を“７４％”（素子Ｐｍ２におけるグリーン（Ｇ）のカラー値）と特定する。
【００２３】
なお、表示装置６が特に単板式又はＤＭＤの場合、特定手段４１ａは、ステップＳ１において、画像データに含まれているＲ，Ｇ，Ｂのカラー値の各最大値を一又は複数フレーム毎にそれぞれ特定してもよい。例えば、特定手段４１ａは、フレームＦ１におけるレッド（Ｒ）のカラー値の最大値を“４２％”（素子Ｐｍ１におけるカラー値）と特定し、グリーン（Ｇ）のカラー値の最大値を“８１％”（素子Ｐｍｎにおけるカラー値）と特定し、ブルー（Ｂ）のカラー値の最大値を“９０％”（素子Ｐｍｎにおけるカラー値）と特定する。また、特定手段４１ａは、フレームＦ２におけるレッド（Ｒ）のカラー値の最大値を“５０％”（素子Ｐｍｎにおけるカラー値）と特定し、グリーン（Ｇ）のカラー値の最大値を“７４％”（素子Ｐｍ２におけるカラー値）と特定し、ブルー（Ｂ）のカラー値の最大値を“５４％”（素子Ｐｍ１におけるカラー値）と特定する。
【００２４】
ステップＳ１の後、ステップＳ２において、算出手段４１ｂは、ステップＳ１において特定手段４１ａによって特定された最大値を用いて、投射用光源５の出力値を基準出力値Ａ１に基づいて調整するための第１の重みを、一又は複数フレーム毎に算出すると共に、この第１の重みを用いて、表示装置６の反射率又は透過率を基準反射率Ａ２又は基準透過率Ａ３に基づいて調整するための第２の重みを、一又は複数フレーム毎に算出する（ステップＳ２）。ステップＳ２において、算出手段４１ｂは、特定手段４１ａによって特定された最大値を第１の重みとする算出を行い、この第１の重みの逆数を第２の重みとする算出を行う。例えば、算出手段４１ｂは、フレームＦ１におけるカラー値の最大値“９０％”を第１の重みとする算出を行い、この第１の重みの逆数“１００／９０”を第２の重みとする算出を行う。さらに、算出手段４１ｂは、フレームＦ２におけるカラー値の最大値“７４％”を第１の重みとする算出を行い、この第１の重みの逆数“１００／７４”を第２の重みとする算出を行う。
【００２５】
なお、表示装置６が特に単板式又はＤＭＤの場合、算出手段４１ｂは、ステップＳ２において、特定手段４１ａによって特定されたＲ，Ｇ，Ｂのカラー値の上記各最大値を用いて、第１の重み及び第２の重みをＲ，Ｇ，Ｂ毎に算出してもよい。この場合、算出手段４１ｂは、Ｒ，Ｇ，Ｂのカラー値の上記各最大値を、Ｒ，Ｇ，Ｂ毎の第１の重みとする算出を行い、Ｒ，Ｇ，Ｂ毎の第１の重みの各逆数を、Ｒ，Ｇ，Ｂ毎の第２の重みとする算出を行う。例えば、算出手段４１ｂは、フレームＦ１におけるＲ，Ｇ，Ｂのカラー値の上記各最大値“４２％”，“８１％”，“９０％”をＲ，Ｇ，Ｂ毎の第１の重みとする算出を行い、このＲ，Ｇ，Ｂ毎の第１の重みの各逆数“１００／４２”，“１００／８１”，“１００／９０”をＲ，Ｇ，Ｂ毎の第２の重みとする算出を行う。
【００２６】
ステップＳ２の後、ステップＳ３において、設定手段４１ｃは、ステップＳ２において算出手段４１ｂによって算出された第１の重みを基準出力値Ａ１に乗じた値を、一又は複数フレーム毎の投射用光源５の出力値に設定する。そして、設定手段４１ｃは、算出手段４１ｂによって算出された第２の重みを表示装置６の各表示素子のＲ，Ｇ，Ｂ毎の基準反射率Ａ２又は基準透過率Ａ３に乗じた値を、一又は複数フレーム毎に、表示装置６の各表示素子のＲ，Ｇ，Ｂ毎の反射率又は透過率に設定する（ステップＳ３）。例えば、図７（Ａ）に示すように、設定手段４１ｃは、算出手段４１ｂによって算出されたフレームＦ１における第１の重み“９０％”を基準出力値Ａ１に乗じた値を、フレームＦ１における投射用光源５の出力値に設定する。そして、設定手段４１ｃは、算出手段４１ｂによって算出されたフレームＦ１における第２の重み“１００／９０”をフレームＦ１における画像データのカラー値に対応する表示装置６の各表示素子のＲ，Ｇ，Ｂ毎の基準反射率Ａ２又は基準透過率Ａ３に乗じた値を、フレームＦ１における表示装置６のＲ，Ｇ，Ｂ毎の反射率又は透過率に設定する。また、設定手段４１ｃは、算出手段４１ｂによって算出されたフレームＦ２における第１の重み“７４％”を基準出力値Ａ１に乗じた値を、フレームＦ２における投射用光源５の出力値に設定する。そして、設定手段４１ｃは、算出手段４１ｂによって算出されたフレームＦ２における第２の重み“１００／７４”をフレームＦ２における画像データのカラー値に対応する表示装置６の各表示素子のＲ，Ｇ，Ｂ毎の基準反射率Ａ２又は基準透過率Ａ３に乗じた値を、フレームＦ２における表示装置６のＲ，Ｇ，Ｂ毎の反射率又は透過率に設定する。
【００２７】
なお、表示装置６が特に単板式又はＤＭＤの場合、設定手段４１ｃは、ステップＳ３において、ステップＳ２において算出手段４１ｂによって算出されたＲ，Ｇ，Ｂ毎の第１の重み及び第２の重みを用いて、投射用光源５のＲ，Ｇ，Ｂ毎の出力値と、表示装置６のＲ，Ｇ，Ｂ毎の反射率又は透過率とを設定してもよい。例えば、図７（Ｂ）に示すように、設定手段４１ｃは、算出手段４１ｂによって算出されたフレームＦ１におけるＲ，Ｇ，Ｂ毎の第１の重み“４２％”，“８１％”，“９０％”のそれぞれを基準出力値Ａ１に乗じた値を、フレームＦ１における投射用光源５のＲ，Ｇ，Ｂ毎の出力値に設定する。そして、設定手段４１ｃは、算出手段４１ｂによって算出されたフレームＦ１におけるＲ，Ｇ，Ｂ毎の第２の重み“１００／４２”，“１００／８１”，“１００／９０”のそれぞれをフレームＦ１におけるＲ，Ｇ，Ｂ毎の基準反射率Ａ２又は基準透過率Ａ３に乗じた値を、フレームＦ１における表示装置６のＲ，Ｇ，Ｂ毎の反射率又は透過率に設定する。また、設定手段４１ｃは、算出手段４１ｂによって算出されたフレームＦ２におけるＲ，Ｇ，Ｂ毎の第１の重み“５０％”，“７４％”，“５４％”のそれぞれを基準出力値Ａ１に乗じた値を、フレームＦ２における投射用光源５のＲ，Ｇ，Ｂ毎の出力値に設定する。そして、設定手段４１ｃは、算出手段４１ｂによって算出されたフレームＦ２におけるＲ，Ｇ，Ｂ毎の第２の重み“１００／５０”，“１００／７４”，“１００／５４”のそれぞれをフレームＦ２におけるＲ，Ｇ，Ｂ毎の基準反射率Ａ２又は基準透過率Ａ３に乗じた値を、フレームＦ２における表示装置６のＲ，Ｇ，Ｂ毎の反射率又は透過率に設定する。
【００２８】
ステップＳ３の後、ステップＳ４において、制御手段４１ｄは、設定手段４１ｃによって設定された投射用光源５の出力値に基づいて投射用光源５を制御すると共に、設定手段４１ｃによって設定された表示装置６の反射率又は透過率に基づいて表示装置６を制御する（ステップＳ４）。
【００２９】
次に、実施形態に係る画像表示制御装置４の作用・効果を説明する。画像表示制御装置４は、プロジェクタ１に搭載されており、投射用光源５と、投射用光源５から出力される光を、入力画像データに含まれるカラー値（％）に応じて反射又は透過することによって画像光に変換する表示装置６とを制御する装置である。画像表示制御装置４は、特定手段４１ａ、算出手段４１ｂ及び設定手段４１ｃを備える。特定手段４１ａは、画像データに含まれるカラー値の最大値を一又は複数フレーム毎に特定する。算出手段４１ｂは、特定手段４１ａによって特定された最大値を用いて、投射用光源５の出力値を基準出力値Ａ１に基づいて調整するための第１の重みを一又は複数フレーム毎に算出すると共に、当該第１の重みを用いて、表示装置６の反射率又は透過率をカラー値に対応する基準反射率Ａ２又は基準透過率Ａ３に基づいて調整するための第２の重みを一又は複数フレーム毎に算出する。設定手段４１ｃは、算出手段４１ｂによって算出された第１の重みを基準出力値Ａ１に乗じた値を、一又は複数フレーム毎の投射用光源５の出力値に設定し、算出手段４１ｂによって算出された第２の重みを基準反射率Ａ２又は基準透過率Ａ３に乗じた値を、一又は複数フレーム毎の表示装置６の反射率又は透過率に設定する。
【００３０】
よって、カラー値の最大値に基づいて算出された第１の重みを基準出力値Ａ１に乗じた値を投射用光源５の出力値に設定されるので、カラー値の最大値が１００％未満の場合には投射用光源５の出力値が低減される。従って、投射用光源５における消費電力も低減される。更に、表示装置６の反射率又は透過率が、第１の重みを用いて算出された第２の重みによって調整されるので、表示装置６から照射される画像光の輝度も、投射用光源５の出力値に応じて好適に調整可能となる。また、投射用光源５の出力値が低減されるので、表示装置６の表示素子（素子Ｐ１１等）において乱反射された漏れ光も低減され、よって、画質が向上する。
【００３１】
更に、算出手段４１ｂは、最大値を第１の重みとし、第１の重みの逆数を第２の重みとするのが好ましい。この場合、表示装置６の反射率又は透過率は、投射用光源５の基準出力値Ａ１に乗じられた第１の重みの逆数である第２の重みを基準反射率Ａ２又は基準透過率Ａ３に乗じた値とするので、この調整後の表示装置６から照射される画像光の輝度は、投射用光源５の出力値に基準出力値Ａ１を用い、且つ、表示装置６の反射率又は透過率に基準反射率Ａ２又は基準透過率Ａ３を用いた場合と同等の輝度を維持できる。
【符号の説明】
【００３２】
１…表示装置、２…スクリーン、３…映像入力Ｉ／Ｆ、４…画像表示制御装置、４１…ＣＰＵ、４１ａ…特定手段、４１ｂ…算出手段、４１ｃ…設定手段、４１ｄ…制御手段、４２…ＲＯＭ、４３…ＲＡＭ、４４…通信装置、４５…記憶装置、４６…バス、５…投射用光源、６…表示装置
【図１】
2010181695.tif 000003
【図２】
2010181695.tif 000004
【図３】
2010181695.tif 000005
【図４】
2010181695.tif 000006
【図５】
2010181695.tif 000007
【図６】
2010181695.tif 000008
【図７】
2010181695.tif 000009